(57)【特許請求の範囲】
【請求項１】
エスカレーターステップにおけるステップ本体のうち蹴上面とは反対側に設けられた後部脚のシャフト軸受部にスリーブを介して後部シャフトを支承し、該スリーブの孔に挿入するピンを前記軸受部付近に設けたブラケットの孔に挿通し、かつ、弾機で軸方向へ付勢してその端部を前記スリーブの孔に挿入したエスカレーターステップにおいて、
前記ブラケットを前記後部脚に形成し、前記ピンのヘッドを前記ステップ本体の踏面側に向けた姿勢で前記ピンを前記ブラケットの孔に挿通させ、前記ピンのヘッド裏とそれが当接すべき前記ブラケットの孔の周縁とにフェース・ラチェットを設けるとともに、前記ピンを旋回させることでそのピンを軸方向へ移動させるレバーハンドルを前記ピンのヘッドに直交して取り付け、
前記レバーハンドルが前記後部シャフトと平行になっている状態では前記ピンの先端部が前記スリーブの孔に挿入される一方、前記レバーハンドルが前記後部シャフトとほぼ直交する状態では、前記レバーハンドルが上記ステップ本体の蹴上面とは反対側へ向けて当該ステップ本体から突出するとともに、前記ピンの先端部が前記スリーブの孔から抜け出るようにしたことを特徴とするエスカレーターステップ。
【請求項２】
前記フェース・ラチェットは、前記ピンのヘッドが当接すべき前記ブラケットの孔の周縁に一方向の傾斜面を有する鋸歯状の突起部を形成するとともに、この突起部と係合して前記傾斜面を摺接する他方向の傾斜面を有する鋸歯状の突起部を前記ピンのヘッド裏に環状に形成してなることを特徴とする請求項１記載のエスカレーターステップ。
【発明の詳細な説明】
【０００１】
【発明の属する技術分野】
この発明はエスカレーターステップに関するもので、特にステップ本体の後部脚に回転自在に支承する後部シャフトの軸受構造に関する。
【０００２】
【従来の技術】
エスカレーターステップは、階上と階下を結ぶトラスに支持された左右のエンドレストラックをそれぞれ転動する一対の走行輪を前部シャフトの両端部に軸支した左右一対の前部脚がステップ本体における蹴上面側の下部に設けられ、また、左右のレールと平行にそれぞれ回動するエンドレスチェーンに両端部を回転可能に連結した後部シャフトがステップ本体の左右一対の後部脚がステップ本体の前記蹴上面に対向する側に支持されている。
【０００３】
すなわち、図１０に示すように、図示外のトラスに支持されたエンドレストラック１（その中心線で示す）に係合する走行輪２はステップ本体３の前部脚４に前部シャフト５で回転可能に軸支され、後部脚６には後部シャフト７が回転可能に支持され、その後部シャフト７の両端部はエンドレスチェーン８（その中心線で示す）に回転自在に軸着される。エンドレスチェーン８は往路と復路を有するエンドレストラック１とほぼ相似形で、エンドレストラック１の外周側に配置されてステップ本体３を昇降させるための図示外の駆動装置でエンドレスに回動する。
【０００４】
エンドレスチェーン８を軸着する後部シャフト７は、図１１及び図１２に示すように、後部脚６に形成した軸受部９にスリーブ１０を介し回転自在に装着されている。すなわち、軸受部９は開放部９ａを備えた断面略Ｃ字形の構造で、その開放部９ａから後部シャフト７を嵌め込んでその両端部側に、開放部９ａから側方へ取り出すことができないスリーブ１０をそれぞれシャフト７の軸方向で嵌挿し、これらスリーブ１０，１０を軸受部９，９に支承させた後、スリーブ１０をピン１１で軸受部９に固定する。開放部９ａの間口幅Ｂはスリーブ１０の外径よりも小さく、後部シャフト７の直径よりも大きい寸法である。したがって、後部シャフト７は側方で開放部９ａから軸受部９に嵌め込むことができるが、スリーブ１０は側方から開放部９ａに嵌め込むことはできない。スリーブ１０は後部シャフト７に予め遊嵌しておいて、後部シャフト７が軸受部９に側方から嵌め込まれた後、後部シャフト７の上を横移動させて軸受部９に嵌合させることができる。
【０００５】
図１２に示すように、ピン１１は前部脚４と後部脚６の下端部を結ぶフレーム１７に形成したブラケット１５に抜け止めされるヘッド１１ａを有してブラケット１５に穿設した孔１６を貫通し、コイルスプリング１２が捲回され、コイルスプリング１２にはピン１１が貫通するワッシャー１３を当て、ワッシャー１３にはピン１１を横方向に貫通する割りピン１４を当ててコイルスプリング１２を圧縮して付勢し、ピン１１の端部は軸受部９の孔１８を貫通した後、図１３に示すように、スリーブ１０に設けた孔１９に挿入されている。したがって、ピン１１はコイルスプリング１２でスリーブ１０側の軸線方向へ付勢され、ピン１１の先端部は常にスリーブ１０の孔１９に挿入されてスリーブ１０は軸受部９に固定された状態を維持できるようになっている。
【０００６】
このような後部シャフト７の軸受構造は、ステップ本体３をエンドレスチェーン８に取付け又は取り外す際の便宜を図ったものである。すなわち、後部シャフト７は、予めその両端部に配置すべき二つのスリーブ１０を遊嵌した状態でエンドレスチェーン８に組付けられており、そこでその後部シャフト７に左右の軸受部９を介してステップ本体３を組み付ける際に、初めにステップ本体３の左右の軸受部９の開放部９ａを後部シャフト７の両端部にそれぞれ嵌め込み、ついでスプリング１２の力に抗して左右のピン１１を所定長さで軸方向へ移動させた状態で、二つのスリーブ１０をそれぞれ左右の軸受部９まで軸方向移動させ、かつ、孔１９を孔１８に合わせた後、ピン１１をそれぞれ解放すると、ピン１１の先端部が孔１９に挿入されることにより、スリーブ１０が軸受部９に回転不能に固定され、したがって、後部シャフト７が軸受部９から外れることなく回転自在に保持される。
【０００７】
したがって、エンドレスチェーン８が回動すると、前部脚４がトラック１に沿って、また、後部脚６がエンドレスチェーン８に沿ってそれぞれ移動する際に、ステップ本体３の上面は水平に維持され、その上に人が載って搬送される。
【０００８】
【発明が解決しようとする課題】
しかしながら、上記従来のエスカレーターステップによれば、ステップ本体３の左右の後部脚６を左右のエンドレスチェーン８から取り外し、又は、取り付けるには、スリーブ１０を軸受部９から取り外すべく、ピン１１をコイルスプリング１２の付勢力に抗し軸方向へ所定距離にて移動させなければならない。したがって、エスカレーターの修理や保守点検に際してステップ本体３を取付け又は取り外す工事は、時間と労力を要する作業となる。
【０００９】
すなわち、図１０に示すように、後部シャフト７が露出して作業し易い位置となる階上又は階下の旋回部Ｚにおいて、各ステップ本体３間の隙間寸法が最大となる位置Ｘで、前記スリーブ１０の孔１９からピン１１を引き抜かなければならない。そのために、図１４に示すような特殊治具としてのリフター２０を用いている。このリフター２０はＵ字形の開口部２１を備えた平板のその開口部２１の両側にテーパー面２２，２２を形成してなるもので、図１５に示すようにそのテーパー面２２，２２をピン１１のヘッド１１ａとブラケット１５との間に割り込ませてピン１１をコイルスプリング１２の力に抗してヘッド１１ａ側の軸方向へ移動させ、もってピン１１の先端部をスリーブ１０の孔１９から引き抜こうとするものであった。
【００１０】
したがって、作業員がリフター２０を手で握持して位置Ｘから片腕を差し込み、かつ、その差し込み方向とは略９０度異なる方向のヘッド１１ａとブラケット１５との間にテーパー面２２，２２を差し込むことは、黙視確認できないために容易な仕業ではなく、手探り作業となって見当違いの所にリフター２０を差し込んだりしていた。しかも、ヘッド１１ａを探り当てても、ピン１１にはコイルスプリング１１ａの付勢力が作用しているので、その力に抗する力をリフター２０に与えることが至難の技となる不具合があった。
【００１１】
かくて、エスカレーターの修理や保守点検の都度、ピン１１を抜いてスリーブ１０を取り外す作業に多大な時間と労力を費やさねばならないから、ステップ本体３の取付け、取り外し作業の能率向上は難しかった。
【００１２】
そこで、この発明はスリーブ１０の孔１９からピン１１を引き抜く作業を簡便、迅速かつ容易化してステップ本体３の取付けや取り外しの作業能率を向上させることができるようにすることを目的とする。
【００１３】
【課題を解決するための手段】
この発明にかかるエスカレーターステップは、請求項１記載のように、エスカレーターステップにおけるステップ本体のうち蹴上面とは反対側に設けられた後部脚のシャフト軸受部にスリーブを介して後部シャフトを支承し、該スリーブの孔に挿入するピンを前記軸受部付近に設けたブラケットの孔に挿通し、かつ、弾機で軸方向へ付勢してその端部を前記スリーブの孔に挿入したエスカレーターステップにおいて、前記ブラケットを前記後部脚に形成し、前記ピンのヘッドを前記ステップ本体の踏面側に向けた姿勢で前記ピンを前記ブラケットの孔に挿通させ、前記ピンのヘッド裏とそれが当接すべき前記ブラケットの孔の周縁とにフェース・ラチェットを設けるとともに、前記ピンを旋回させることでそのピンを軸方向へ移動させるレバーハンドルを前記ピンのヘッドに直交して取り付け、前記レバーハンドルが前記後部シャフトと平行になっている状態では前記ピンの先端部が前記スリーブの孔に挿入される一方、前記レバーハンドルが前記後部シャフトとほぼ直交する状態では、前記レバーハンドルが上記ステップ本体の蹴上面とは反対側へ向けて当該ステップ本体から突出するとともに、前記ピンの先端部が前記スリーブの孔から抜け出るようにしたことを特徴とする。
【００１４】
したがって、前記レバーハンドルによって前記ピンを旋回させるだけでそのピンが軸方向へ移動し、スリーブの孔から抜けてスリーブが軸受部に固定されるのを解除することができる。
【００１５】
また、請求項２記載のように、前記フェース・ラチェットは前記ピンのヘッドが当接すべき前記ブラケットの孔の周縁に一方向の傾斜面を有する鋸歯状の突起部を形成するとともに、この突起部と係合して前記傾斜面を摺接する他方向の傾斜面を有する鋸歯状の突起部を前記ピンのヘッド裏に環状に形成してなることを特徴とする。
【００１６】
したがって、ピンを軸中心で旋回させることによって、一方向の傾斜面が他方向の傾斜面を摺動して、スプリングの力に抗してピンが軸方向へ移動し、スリーブの孔からピンが抜け出ることになる。
【００１９】
【発明の実施の形態】
先ず、この発明の実施の形態の基本となる技術について図に基づき説明する。なお、図１〜図９において、前記図１０〜図１５中の符号と同一符号は同一部分を表す。この基本技術にあっては、図１から図３に示すように、ピン１１におけるヘッド１１ａとそれが当接すべきブラケット１５との間にフェース・ラチェット３０を介在させることにより、ヘッド１１ａを旋回させると、ピン１１はコイルスプリング１２の力に抗して軸方向へ移動してスリーブ１０の孔１９から抜け出るようにした。ピン１１を旋回させるには、スパナ等の工具を用いて行うことができる。
【００２０】
すなわち、図１及び図３に示すように、ヘッド１１ａとブラケット１５との間には、ピン１１のヘッド１１ａが当接すべきブラケット１５に、その孔１６の周縁で、一方向の傾斜面２３と平坦面２４を有する鋸歯状の突起部２５を形成するとともに、この突起部２５と係合して前記傾斜面２３と平坦面２４を摺動する他方向の傾斜面２６を有する鋸歯状の突起部２７を前記ピン１１のヘッド１１ａ裏に軸心を中心として環状に形成してなる。突起部２５，２７はピン１１の直径方向で相対向して少なくとも一対にて形成すればよい。平坦面２４は傾斜面２６の端部及びヘッド１１ａ裏が滑り移動することによってピン１１が軸方向移動を停止するものであり、したがって、ブラケット１５からの平坦面２４の高さがピン１１が軸方向移動してスリーブ１０の孔１９から抜け出るストロークである。
【００２１】
したがって、図４に示すように、コイルスプリング１２の力でピン１１側の突起部２７の傾斜面２６とブラケット１５側の突起部２５の傾斜面２３とが摺接している状態では、ピン１１の先端部はスリーブ１０の孔１９に挿入されている。そして、図５に示すように、ヘッド１１ａを旋回させてピン１１側の突起部２７の傾斜面２６がブラケット１５側の突起部２５の傾斜面２３を螺旋状に摺動して、コイルスプリング１２の力に抗する軸方向移動力が発生し、傾斜面２６の下端部が平坦面２４に移動した状態では、ピン１１の先端部はスリーブ１０の孔１９から抜け出ている。ヘッド１１ａの旋回操作にはスパナ等の通常工具を用いることができる。また、ヘッド１１ａの側面に孔穴２８を形成し、その孔穴２８に挿入できる先端部を形成した図示外のロッドを用いることにより、そのロッドを手でピン１１の軸中心で旋回させるようにしてもよい。
【００２２】
そして、本発明の実施の形態においては、上述した基本技術を基礎としてピン１１の旋回操作をより一層簡便化するため、図６及び図７に示すように、ヘッド１１ａの側面にレバーハンドル２９を取り付けている。したがって、図６及び図８に示すように、レバーハンドル２９がシャフト７と平行になっている状態では、コイルスプリング１２の力でピン１１側の突起部２７の傾斜面２６とブラケット１５側の突起部２５の傾斜面２３とが摺接していて、ピン１１の先端部はスリーブ１０の孔１９に挿入されている。また、図７及び図９に示すように、レバーハンドル２９を約９０度旋回操作してシャフト７とほぼ直交させた状態では、ヘッド１１ａが旋回してピン１１側の突起部２７の傾斜面２６が、ブラケット１５側の突起部２５の傾斜面２３を螺旋状に摺動してコイルスプリング１２の力に抗する軸方向移動力が発生し、傾斜面２６の下端部が平坦面２４に移動することにより、ピン１１の先端部はスリーブ１０の孔１９から抜け出ている。
【００２３】
なお、本発明におけるエスカレーターステップのうちピン１１周りの構成以外の構成は前記従来例と構造的には全く同じである。すなわち、ステップ本体３は、図１０に示すように、図示外のトラスに支持されたエンドレストラック１（その中心線で示す）に係合する走行輪２を有し、その走行輪２はステップ本体３の前部脚４に前部シャフト５で回転可能に軸支され、ステップ本体３のうち蹴上面とは反対側に設けられた後部脚６には後部シャフト７が回転可能に支持され、その後部シャフト７の両端部はエンドレスチェーン８（その中心線で示す）に回転自在に軸着される。エンドレスチェーン８は往路と復路を有するエンドレストラック１とほぼ相似形で、エンドレストラック１の外周側に配置されてステップ本体３を昇降させるための図示外の駆動装置でエンドレスに回動する。
【００２４】
エンドレスチェーン８を軸着する後部シャフト７は、図６及び図８に示すように、後部脚６に形成した軸受部９にスリーブ１０を介し回転自在に装着されている。すなわち、軸受部９は開放部を備えた側面視が略Ｃ字形の構造で、その開放部から後部シャフト７を嵌め込んでその両端部側に、開放部から側方へ取り出すことができないスリーブ１０をそれぞれ嵌挿し、これらスリーブ１０，１０を軸受部９，９に支承させた後、スリーブ１０をピン１１で軸受部９に固定する。開放部の間口幅はスリーブ１０の外径よりも小さく、後部シャフト６の直径よりも大きい寸法である。したがって、後部シャフト７は側方で開放部から軸受部９に嵌め込むことができるが、スリーブ１０は側方から開放部に嵌め込むことはできない。スリーブ１０は後部シャフト７に予め遊嵌しておいて、後部シャフト７が軸受部９に側方から嵌め込まれた後、後部シャフト７の上を横移動させて軸受部９に嵌合させることができる。
【００２５】
ピン１１は後部脚６に形成したブラケット１５に抜け止めされるヘッド１１ａを有し、そのヘッド１１ａをステップ本体３の踏面側へ向けた姿勢でブラケット１５に穿設した孔１６を貫通し、コイルスプリング１２が捲回され、コイルスプリング１２にはピン１１が貫通するワッシャー１３を当て、ワッシャー１３にはピン１１を横方向に貫通する割りピン１４を当ててコイルスプリング１２を圧縮して付勢し、ピン１１の端部は軸受部９の孔を貫通した後、図１３に示すように、スリーブ１０に設けた孔１９に挿入されている。したがって、ピン１１はコイルスプリング１２でスリーブ１０側の軸線方向へ付勢され、ピン１１の先端部は常にスリーブ１０の孔１９に挿入されてスリーブ１０は軸受部９に固定された状態を維持できるようになっている。
【００２６】
【発明の効果】
以上説明したこの発明によれば、ステップ本体の後部脚における軸受部にスリーブを介して装着される後部シャフトの脱着に際し、ヘッドを旋回させる操作だけでピンがコイルスプリング１２の力に抗して軸方向移動してその先端部がスリーブの孔から抜け出るので、エスカレーターの修理や保守点検に際してステップ本体３を取付け又は取り外す工事は、極めて単純化されて時間と労力の軽減を図ることができ、作業能率を向上させる。
【００２７】
さらには、ヘッドに常設したレバーハンドルを所定の角度で旋回操作することで簡単にピンがコイルスプリング１２の力に抗し軸方向移動してその先端部がスリーブの孔から抜け出るので、従来のリフターに比べ、レバーハンドルを探り当てるだけの簡単な操作で足りるから、見当違いの場所を模索する無駄が生じない。
【図面の簡単な説明】
【図１】  ピンがスリーブを軸受部に固定している状態のステップ本体の要部を示すこの発明の基本技術の斜視図。
【図２】  ピンをスリーブから抜いてスリーブを軸受部から取り外す状態のステップ本体の要部を示すこの発明の基本技術の斜視図。
【図３】  この発明の基本技術の要部斜視分解図。
【図４】  この発明の基本技術の作用説明図。
【図５】  この発明の基本技術の作用説明図。
【図６】  この発明の実施の形態を作用と共に示す要部斜視図。
【図７】図６の作用を示す要部斜視図。
【図８】  この発明の実施の形態におけるステップ本体の要部斜視図。
【図９】図８の作用を示す要部斜視図。
【図１０】エスカレータの一部構成例を示す側面概要図。
【図１１】ステップ本体の側面図。
【図１２】図１１中Ａ部拡大図。
【図１３】スリーブの斜視図。
【図１４】リフターの斜視図。
【図１５】ピンをスリーブの孔から抜く状態を示す従来のステップ本体の要部斜視図。
【符号の説明】
３…ステップ本体
６…後部脚
７…後部シャフト
９…軸受部
１０…スリーブ
１１…ピン
１１ａ…ヘッド
１２…コイルスプリング
１３…ワッシャー
１４…割りピン
１５…ブラケット
１７…フレーム
１８，１９…孔
２３，２６…傾斜面
２４…平坦面
２５，２７…突起部
２８…孔穴
２９…レバーハンドル
３０…フェース・ラチェット
【図１】
0004773611.tif 000002
【図２】
0004773611.tif 000003
【図３】
0004773611.tif 000004
【図４】
0004773611.tif 000005
【図５】
0004773611.tif 000006
【図６】
0004773611.tif 000007
【図７】
0004773611.tif 000008
【図８】
0004773611.tif 000009
【図９】
0004773611.tif 000010
【図１０】
0004773611.tif 000011
【図１１】
0004773611.tif 000012
【図１２】
0004773611.tif 000013
【図１３】
0004773611.tif 000014
【図１４】
0004773611.tif 000015
【図１５】
0004773611.tif 000016